(57)【要約】【課題】駒を連結して構成しても、伸縮量を大にすることができ、かつ、装着感が良いバンド及びこのバンドを備えた時計を提供する。【解決手段】バンド２０は、駒２１Ｂの一方の連結部である凸部２３の貫通孔２５を、連結ピン３０の外径よりもバンド２０の長さ方向（矢印Ｙ方向）に長くし、かつ、この貫通孔２５のバンド２０の厚さ方向（矢印Ｚ方向）の孔径を、この凸部２３に連結される他の駒２１Ａ側ほど大きくし、駒２１Ａと駒２１Ｂとがバンドの長さ方向に離れた場合に、駒２１Ａと駒２１Ｂとがバンドの厚さ方向にねじれるようにした。【選択図】      図２
2004290441.tif 000002
【特許請求の範囲】
【請求項１】
連結部を有する複数の駒を、その連結部同士を連結ピンで連結したバンドにおいて、
各駒の連結部には、前記連結ピンが挿通されるピン孔が設けられ、
一方の連結部のピン孔を、前記連結ピンの外径よりもバンド長さ方向に長くすると共に、このピン孔のバンド厚さ方向の孔径を、この連結部に連結される他の駒側ほど大きくすることにより、連結された駒がバンド長さ方向に離れた場合に、この連結された駒がバンド厚さ方向にねじれるようにし、又は、バンド厚さ方向にずれるようにしたことを特徴とするバンド。
【請求項２】
前記一方の連結部のピン孔のバンド厚さ方向の孔径を、この連結部に連結される他の駒と反対側の端部において、前記連結ピンの外径と略同径にすることにより、連結された駒がバンド長さ方向に近接した場合に、連結された駒の各連結部のバンド厚さ方向の位置が揃うようにしたことを特徴とする請求項１に記載のバンド。
【請求項３】
前記一方の連結部のピン孔は、この連結部に連結される他方の駒側に行くに従ってバンド厚さ方向の孔径が大きくなる略三角形形状であることを特徴とする請求項１又は２に記載のバンド。
【請求項４】
前記一方の連結部に連結される他の駒における前記連結部と連結される連結部のピン孔は、前記連結ピンの外径と略同径の真円形状に形成されたことを特徴とする請求項１乃至３のいずれかに記載のバンド。
【請求項５】
前記駒の連結部同士を引き寄せるための付勢手段を有することを特徴とする請求項１乃至４のいずれかに記載のバンド。
【請求項６】
時刻表示を行う時計本体と、この時計本体に連結されるバンドと、このバンドを留める留め具とを備える時計において、
前記バンドは、連結部を有する複数の駒を、その連結部同士を連結ピンで連結した構成を有し、
各駒の連結部には、前記連結ピンが挿通されるピン孔が設けられ、
一方の連結部のピン孔を、前記連結ピンの外径よりもバンド長さ方向に長くすると共に、このピン孔のバンド厚さ方向の孔径を、この連結部に連結される他の駒側ほど大きくすることにより、連結された駒がバンド長さ方向に離れた場合に、この連結された駒がバンド厚さ方向にねじれるようにし、又は、バンド厚さ方向にずれるようにしたことを特徴とする時計。
【請求項７】
前記バンドは、前記一方の連結部のピン孔のバンド厚さ方向の孔径を、この連結部に連結される他の駒と反対側の端部において、前記連結ピンの外径と略同径にすることにより、連結された駒がバンド長さ方向に近接した場合に、連結された駒の各連結部のバンド厚さ方向の位置が揃うようにしたことを特徴とする請求項６に記載の時計。
【請求項８】
前記バンドは、前記一方の連結部のピン孔を、この連結部に連結される他方の駒側に行くに従ってバンド厚さ方向の孔径が大きくなる略三角形形状にしたことを特徴とする請求項６又は７に記載の時計。
【請求項９】
前記バンドは、前記一方の連結部に連結される他の駒における前記連結部と連結される連結部のピン孔を、前記連結ピンの外径と略同径の真円形状に形成したことを特徴とする請求項６乃至８のいずれかに記載の時計。
【請求項１０】
前記バンドは、前記駒の連結部同士を引き寄せるための付勢手段を有することを特徴とする請求項６乃至９のいずれかに記載の時計。
【発明の詳細な説明】
【０００１】
【発明の属する技術分野】
本発明は、バンド及びバンドを備えた時計に関する。
【０００２】
【従来の技術】
腕時計の金属製バンドは、厚みのある多数の駒を連結ピン等を用いて連結することにより構成されている。この駒は、連結ピンを中心として回転する、という自由度しか持っていないのが一般的である。
また、この種の金属製バンドにあっては、バンドを伸縮可能にしたものが提案されている（例えば、特許文献１参照）。この金属製バンドにあっては、隣接する駒の一方の駒のバンド短手方向に貫通孔を設け、この貫通孔をバンドの長さ方向に延長する長孔に形成し、この貫通孔に連結ピンを挿通し、この貫通孔の間隙に弾性部材を配設することによって、バンドに引張力が作用すると、上記弾性部材が圧縮して、駒と駒との連結部がバンドの長さ方向に離れてバンドが伸びるように構成されている。また、連結ピンの外周に環状の弾性部材を設けることによって、隣接する駒と駒との連結部がバンドの引張力に応じて離れ、バンドが伸縮するように構成されている。
【０００３】
【特許文献１】
特開２０００−４９１４号公報
【０００４】
【発明が解決しようとする課題】
しかしながら、上述した伸縮可能な金属製バンドにあっては、連結用の貫通孔を長孔にしたものの場合、隣接する駒と駒との連結部の離間方向が、この長孔の延長方向（バンドの長さ方向）に制限される。このため、金属製バンドをバンド面に対して略垂直方向に曲げようとする力が加わると、例えば、腕時計が手の甲近くに装着されている場合に手首が上方向（甲の方向）に曲げられると、腕時計が手の甲に食い込み、良好な装着感が得られないばかりか、手の甲の損傷を引き起こすおそれがある。
【０００５】
また、連結ピンの外周に環状の弾性部材を設けたものの場合には、この弾性部材の圧縮量が駒と駒との離間距離となるため、バンドの伸縮量を多くとることができない。このため、例えば、腕時計が手の甲近くにある場合に手首が大きく上方向（甲の方向）に曲げられると、バンドの伸縮量が足りず、バンドが手の甲に食い込み、良好な装着感が得られないばかりか、手の甲の損傷を引き起こすおそれがある。
【０００６】
そこで、本発明の目的は、上述した従来の技術が有する課題を解消し、駒を連結して構成しても、伸縮量を大にすることができ、かつ、装着感が良いバンド及びこのバンドを備えた時計を提供することにある。
【０００７】
【課題を解決するための手段】
上述課題を解決するため、請求項１記載の発明は、連結部を有する複数の駒を、その連結部同士を連結ピンで連結したバンドにおいて、各駒の連結部には、前記連結ピンが挿通されるピン孔が設けられ、一方の連結部のピン孔を、前記連結ピンの外径よりもバンド長さ方向に長くすると共に、このピン孔のバンド厚さ方向の孔径を、この連結部に連結される他の駒側ほど大きくすることにより、連結された駒がバンド長さ方向に離れた場合に、この連結された駒がバンド厚さ方向にねじれるようにし、又は、バンド厚さ方向にずれるようにしたことを特徴とする。
この構成によれば、連結ピンが挿通されるピン孔によって、連結された駒がバンド長さ方向に離れた場合に、この連結された駒がバンド厚さ方向にねじれるようにし、又は、バンド厚さ方向にずれるようにしているので、駒のバンド長さ方向の伸縮量やバンド厚さ方向のねじれ量を多くとることができる。これにより、このバンドの装着部位の大きな動きに合わせてバンドが柔軟に変形することが可能となる。
【０００８】
また、請求項２記載の発明は、請求項に記載の構成において、前記一方の連結部のピン孔のバンド厚さ方向の孔径を、この連結部に連結される他の駒と反対側の端部において、前記連結ピンの外径と略同径にすることにより、連結された駒がバンド長さ方向に近接した場合に、連結された駒の各連結部のバンド厚さ方向の位置が揃うようにしたことを特徴とする。
また、請求項３記載の発明は、請求項１又は２に記載の構成において、前記一方の連結部のピン孔は、この連結部に連結される他方の駒側に行くに従ってバンド厚さ方向の孔径が大きくなる略三角形形状であることを特徴とする。
【０００９】
また、請求項４記載の発明は、請求項１乃至３のいずれかに記載の構成において、前記一方の連結部に連結される他の駒における前記連結部と連結される連結部のピン孔は、前記連結ピンの外径と略同径の真円形状に形成されたことを特徴とする。
また、請求項５記載の発明は、請求項１乃至４のいずれかに記載の構成において、前記駒の連結部同士を引き寄せるための付勢手段を有することを特徴とする。
【００１０】
また、請求項６記載の発明は、時刻表示を行う時計本体と、この時計本体に連結されるバンドと、このバンドを留める留め具とを備える時計において、
前記バンドは、連結部を有する複数の駒を、その連結部同士を連結ピンで連結した構成を有し、各駒の連結部には、前記連結ピンが挿通されるピン孔が設けられ、一方の連結部のピン孔を、前記連結ピンの外径よりもバンド長さ方向に長くすると共に、このピン孔のバンド厚さ方向の孔径を、この連結部に連結される他の駒側ほど大きくすることにより、連結された駒がバンド長さ方向に離れた場合に、この連結された駒がバンド厚さ方向にねじれるようにし、又は、バンド厚さ方向にずれるようにしたことを特徴とする。
この構成によれば、連結ピンが挿通されるピン孔によって、連結された駒がバンド長さ方向に離れた場合に、この連結された駒がバンド厚さ方向にねじれるようにし、又は、バンド厚さ方向にずれるようにしているので、駒のバンド長さ方向の伸縮量やバンド厚さ方向のねじれ量を多くとることができる。これにより、この時計は、装着部位の大きな動きに合わせてバンドが柔軟に変形することが可能となる。
【００１１】
また、請求項７記載の発明は、請求項６に記載の構成において、前記バンドは、前記一方の連結部のピン孔のバンド厚さ方向の孔径を、この連結部に連結される他の駒と反対側の端部において、前記連結ピンの外径と略同径にすることにより、連結された駒がバンド長さ方向に近接した場合に、連結された駒の各連結部のバンド厚さ方向の位置が揃うようにしたことを特徴とする。
また、請求項８記載の発明は、請求項６又は７に記載の構成において、前記バンドは、前記一方の連結部のピン孔を、この連結部に連結される他方の駒側に行くに従ってバンド厚さ方向の孔径が大きくなる略三角形形状にしたことを特徴とする。
【００１２】
また、請求項９記載の発明は、請求項６乃至８のいずれかに記載の構成において、前記バンドは、前記一方の連結部に連結される他の駒における前記連結部と連結される連結部のピン孔を、前記連結ピンの外径と略同径の真円形状に形成したことを特徴とする。
また、請求項１０記載の発明は、請求項６乃至９のいずれかに記載の構成において、前記バンドは、前記駒の連結部同士を引き寄せるための付勢手段を有することを特徴とする。
【００１３】
【発明の実施の形態】
以下、図面を参照して本発明の実施形態を詳述する。
【００１４】
図１は、本発明の実施形態に係る腕時計の外観構成を示す図である。この腕時計１は、時刻表示を行う時計本体１０と、この時計本体１０に連結されたバンド２０とから構成されている。時計本体１０は、ステンレス、チタン等で形成された金属ケース１１内に、時計表示部１２が内蔵されて構成される。なお、本実施形態では、時刻をアナログ表示する腕時計を例示したが、時刻をデジタル表示する腕時計であってもよい。
【００１５】
バンド２０は、ステンレス、チタン等の金属材料で形成された駒２１を多数連結して構成され、時計本体１０の金属ケース１１に連結ピン（図示略）を介して連結される。なお、図示は省略するが、このバンド２０には、このバンド２０を、この腕時計１の装着部位（装着者の手首）に合わせた長さで留めるための留め具（二ツ折方式、三ツ折方式、両開き方式など）が設けられている。
【００１６】
図２は、このバンド２０の駒２１を分離した状態を示す斜視図である。以下、説明の便宜上、隣接する駒２１を区別する必要があるときは、一方の駒２１を駒２１Ａと表記し、他方の駒２１を駒２１Ｂと表記する（図２参照）。同図に示すように、駒２１は、バンド２０の長さ方向（矢印Ｙ方向）の一端に凹部２２が形成され、他端に凸部２３が形成される。すなわち、駒２１のバンド２０の長さ方向の両端は、係合可能な形状に形成される。
【００１７】
また、これら凹部２２と凸部２３には、バンド２０の幅方向（矢印Ｘ方向）に延びる貫通孔（ピン孔）２４、２５が形成される。すなわち、一方の駒２１Ａの凹部２２に他方の駒２１Ｂの凸部２３を係合すると、これら駒２１Ａ、２１Ｂの凹部２２と凸部２３の貫通孔２４、２５が連通し、この連通した貫通孔２４、２５に連結ピン３０を挿通することによって、これら駒２１Ａと駒２１Ｂとが連結されるように構成されている。これにより、これら凹部２２及び凸部２３は、駒２１Ａと駒２１Ｂとを連結する連結部として機能するようになっている。
【００１８】
ここで、駒２１の凹部２２に形成された貫通孔２４は、この貫通孔２４に挿通される連結ピン３０の外径と略同径の真円形状を有し、これによって、この貫通孔２４に挿通された連結ピン３０がこの凹部２２にほぼ隙間のない状態で配置されるようになっている。
一方、駒２１Ｂの凸部２３に形成された貫通孔２５は、連結ピン３０の外径よりもバンド２０の長さ方向（矢印Ｙ方向）に長く、かつ、このバンド２０の厚さ方向（矢印Ｚ方向）の孔径が、この凸部２３に連結される他の駒２１Ａ側に行くに従って大きくなる孔が適用される。より具体的には、凸部２３の貫通孔２５は、連結ピン３０の外径に比して大きい略三角形形状の孔であって、その一辺が、この凸部２３に連結される他の駒２１Ａ側に向けられ、その辺に対向する頂点が、当該駒２１Ａの凹部２２側に向けられた孔に形成される。ここで、この貫通孔２５の他方の駒２１Ａと反対側の端部においては、バンド２０の厚さ方向の孔径が連結ピン３０の外径と略同径に形成されるようになっている。
これにより、連結ピン３０によって互いに連結された駒２１Ａ及び２１Ｂは、連結ピン３０を中心としてそれぞれが回転可能になるだけでなく、一方の駒２１Ａの凹部２２に固定された連結ピン３０が、他方の駒２１Ｂの凸部２３の貫通孔２５の範囲内で移動可能となるため、駒２１Ａと駒２１Ｂとを離すことが可能となる。
【００１９】
詳述すると、凸部２３の貫通孔２５を、連結ピン３０の外径よりもバンド２０の長さ方向（矢印Ｙ方向）に長くしているので、駒２１Ａと駒２１Ｂとを連結ピン３０で連結した状態で、駒２１Ａと駒２１Ｂとをバンド２０の長さ方向（矢印Ｙ方向）に離すことが可能となる。
さらに、凸部２３の貫通孔２５のバンド２０の厚さ方向（矢印Ｚ方向）の孔径を、この凸部２３に連結される他の駒２１Ａ側ほど大きく形成しているので、駒２１Ａと駒２１Ｂとをバンド２０の長さ方向（矢印Ｙ方向）に離した場合は、連結ピン３０がこの貫通孔２５のバンド２０の厚さ方向（矢印Ｚ方向）の孔径が大きい位置にあるため、連結ピン３０がバンド２０の厚さ方向に移動可能となり、駒２１Ａと駒２１Ｂとをバンド２０の厚さ方向（矢印Ｚ方向）にずらすことが可能となる。
【００２０】
一方、凸部２３の貫通孔２５のバンド２０の厚さ方向（矢印Ｚ方向）の孔径を、他の駒２１Ａと反対側の端部において、連結ピン３０の外径と略同径に形成しているので、駒２１Ａと駒２１Ｂとをバンド２０の長さ方向（矢印Ｙ方向）に近接させた場合は、連結ピン３０が貫通孔２５の上記端部に位置するので、駒２１Ａの凹部２２と駒２１Ｂの凸部２３のバンド２０の厚さ方向（矢印Ｚ方向）の位置が揃うようになっている。
【００２１】
また、前掲図２に示すように、駒２１の凸部２３には、このバンド２０の厚さ方向（矢印Ｚ方向）に貫通する空隙２６が設けられており、凸部２３に挿通された連結ピン３０の中央部分３０Ａが露出するように構成されている。また、駒２１には、連結ピン３０の露出した中央部分３０Ａを当該駒２１の凹部２２側に付勢する付勢機構（付勢手段）４０が設けられている。
【００２２】
詳述すると、付勢機構４０は、駒２１の上記空隙２６を含む空間を埋める形状に形成された付勢部材４１と、この付勢部材４１を、駒２１に対してバンド２０の長さ方向（矢印Ｙ方向）に移動可能に支持するためのねじピン４２、４３と、ねじピン４２に挿通されることによって付勢部材４１を、当該駒２１の凹部２２側に付勢するためのばね４４とから構成されている。ここで、図３（Ａ）に駒２１の断面図を示すように、連結ピン３０は、付勢部材４１と駒２１の付勢機構支持部２７との間に配置されるようになっている。なお、前掲図２に示すように、連結ピン３０は、露出する中央部分３０Ａが細く形成され、この中央部分３０Ａに付勢部材４１が引っ掛かるので、連結ピン３０の抜けを確実に防止できるようになっている。
【００２３】
このように、付勢機構４０は、ばね４４によって付勢部材４１を凹部２２側に付勢することにより、図３（Ａ）に示すように、駒２１に何ら力がかかっていない場合は、連結ピン３０を凸部２３の貫通孔２５の内面に沿って凹部２２側（図中右側）端部に移動させて、連結された駒２１を引き寄せる。この場合、上記したように、連結ピン３０は、貫通孔２５によりバンド２０の厚さ方向（矢印Ｚ方向）への移動が規制される位置に案内されるため、連結された駒２１の連結部同士の矢印Ｚ方向の位置が位置決めされる。すなわち、連結された駒２１が引き寄せられると、これら駒２１は隙間や段差がない状態に自動的に位置決めされるようになっている。
【００２４】
一方、図３（Ｂ）に示すように、連結された駒２１を離す力が働くと、ばね４４が縮んで付勢部材４１が凸部２３側に移動し、連結ピン３０が、貫通孔２５の凸部２３側（図中左側）端部に移動する。この場合、上記したように、連結ピン３０は、バンド２０の厚さ方向（矢印Ｚ方向）に移動可能なため、連結された駒２１の連結部をバンド２０の厚さ方向にずらすことが可能となる。
これにより、このバンド２０は、図４（Ａ）に示すように、連結された駒２１をバンド２０の長さ方向に離したり、図４（Ｂ）に示すように、連結された駒２１をバンド２０の厚さ方向にねじることが可能となるのである。
【００２５】
このように、このバンド２０は、連結された駒２１がバンド２０の長さ方向やバンド２０の厚さ方向に柔軟に動くことができるので、このバンド２０（腕時計１）が手の甲近くに装着されている場合に、手首が手の甲側に大きく曲げられ、バンド２０をバンド面に対して略垂直方向に曲げる力がかかると、その力に応じて駒２１がバンド２０の長さ方向に延び、かつ、バンド２０の厚さ方向にねじれるので、バンド２０が手首の動きに合わせて柔軟に変形し、手の甲に食い込むことがなく、また、良好な装着感を付与することができる。
【００２６】
以上説明したように、本実施形態の腕時計１によれば、バンド２０において、駒２１の一方の連結部である凸部２３の貫通孔２５を、連結ピン３０の外径よりもバンド２０の長さ方向に長くし、かつ、この貫通孔２５のバンド２０の厚さ方向の孔径を、この凸部２３に連結される他の駒２１側ほど大きくしたことにより、連結された駒２１がバンド２０の長さ方向に離れた場合に、この駒２１をバンド２０の厚さ方向に柔軟に動かすことができ、また、連結された駒２１が近接した場合には、駒２１の連結部の位置が揃うようにすることができる。
【００２７】
また、このように、貫通孔２５によって駒２１の移動範囲を決めているので、連結ピンの外周に環状の弾性部材を設けた従来のバンドに比して、駒２１の移動量（バンド長さ方向の伸縮量、バンド厚さ方向のねじれ量やずれ量）を多くとることができ、移動範囲の調整（設計）を簡易にすることができる。
さらに、付勢機構４０によって駒２１を常時引き寄せる方向に付勢しているので、装着感を良好にでき、かつ、駒２１に何ら力が加わっていない場合は、各駒２１の連結部の位置が自動的に揃って隙間や段差をなくした状態に戻ることが可能となる。
【００２８】
なお、連結ピン３０は、ピンに限らず、ばね棒、ねじ等でもよく、また、ばね４４は、コイルばねに限らず、板ばねでもよく、ゴム等の他の弾性部材を用いてもよい。
【００２９】
＜変形例＞
上述した実施形態は、あくまでも本発明の一態様を示すものであり、本発明の範囲内で任意に変形が可能である。そこで、以下に変形例について例示する。
【００３０】
（１）  上述した実施形態の付勢機構４０は、付勢部材４１のバンド２０の長さ方向の両端側からねじピン４２、４３を挿通する場合について述べたが、付勢機構４０は上記構成に限らない。例えば、図５に示ように、付勢部材４１Ａにバンド２０の長さ方向に沿った長孔４１Ｂを形成し、この長孔４１Ｂにねじピン４２Ａを挿通して付勢部材４１を移動可能に支持するようにしてもよい。この場合、ねじピン４２Ａがバンド２０の外観に露出するため、組立又は分解作業が容易となる。
【００３１】
（２）  上述した実施形態では、連結された駒２１がバンド２０の長さ方向に離すと、これら駒２１が、バンド２０の厚さ方向に離れたり、ねじれるようにする場合について述べたが、手首が手の甲側に曲げられた場合の手の甲の損傷を防止する観点からは、連結する駒２１がバンド２０の厚さ方向にねじれるようにすればよく、この動きのみ行う構成にしてもよい。
この場合、例えば、図６に示すように、駒２１の凸部２３にバンド２０の長さ方向に延びる円柱形状の孔５０を形成し、この孔５０に嵌め込まれる円柱部材５１に、凸部２３の貫通孔２５に挿通された連結ピン３０を嵌める溝５１Ａを設ける。これにより、連結ピン３０は、バンド２０の厚さ方向については、円柱部材５１の回転中心を中心として回転する動きしかできなくなるので、連結された駒２１が、バンド２０の厚さ方向にずれる場合が回避され、ねじれる動きだけが可能となる。また、この構成の場合に、円柱部材５１の溝５１Ａを、連結ピン３０の中央部分３０Ａの外径よりも大きく形成し、バンドの厚さ方向に平行移動する自由度を与えてもよい。このように自由度を上げることで、装着部位（手首など）の動きに合わせて変形し、装着感を向上させることができる。
【００３２】
また、駒２１の凸部２３の端面側には、板状部材５２が配置され、この板状部材５２と円柱部材５１との間にばね５３を配置することにより、円柱部材５１を駒２１の凹部２２側に付勢する付勢機構が構成されている。これにより、連結ピン３０を、貫通孔２５における連結ピン３０と略同径の孔径側に付勢し、連結された駒２１を引き寄せる方向に付勢することができる。従って、この構成によれば、連結された駒２１をバンド２０の長さ方向に離すことが可能で、かつ、該方向に離した場合は、この駒２１をバンド２０の厚さ方向にねじれる動きだけが可能となる。また、この構成の場合は、付勢機構を駒２１に内蔵することができ、駒の外観をシンプルにできる、という効果を奏する。
【００３３】
さらに、この構成において、図６に示した板状部材５３に代えて、図７に示すように、ねじ６０を用いるようにしてもよい。すなわち、駒２１の凸部２３にねじ孔６１を形成し、このねじ孔６１にねじ６０を止め、円柱部材５１をばね５３により付勢するようにしてもよい。このようにすれば、図５の構成に比して、凸部２３周辺の加工作業、付勢機構の組立又は分解作業をより簡単にすることが可能となる。
【００３４】
（３）  上述した実施形態では、貫通孔２５によって駒２１が最も離れる位置が決まる場合について述べたが、付勢機構４０の付勢部材４１のばね４４が挿入される側の端部に、ばね４４側に屈曲する屈曲部を設け、連結された駒２１の一方を引っ張ったときに、この屈曲部が上記付勢機構支持部２７（図２参照）に当接して駒２１が離れた時の位置を決めるようにしてもよい。この場合、ばねがある程度以上は縮まらないため、ばねの破壊を防ぐことも可能である。また、このようにして、付勢部材４１によって駒２１が離れた時の位置を決める場合は、略三角形形状の貫通孔２５の端部（図２に示す駒２１Ｂの貫通孔２５の駒２１Ａ側端部）は孔として閉じていなくてもよく、図８に示すように、凸部２３の貫通孔２５の端部（図８中斜線部分）を切り欠いてもよい。
【００３５】
（４）  上述した実施形態では、腕時計のバンドに本発明を適用する場合について述べたが、腕時計以外の時計のバンドや、時計バンド以外のバンドに広く適用が可能である。
【００３６】
（５）  また、上述した実施の形態では、金属製バンドを例に説明したが、要は、複数の駒を連結した構成のバンドであればよく、駒の材質は樹脂又はゴム等でもよく、金属材料に限定されない。
【００３７】
【発明の効果】
上述したように本発明によれば、駒を連結して構成しても、伸縮量を大にすることができ、かつ、装着感が良いバンド及びこのバンドを備えた時計を提供することができる。
【図面の簡単な説明】
【図１】本発明の実施形態に係る腕時計の外観構成を示す図である。
【図２】同腕時計のバンドの駒を分解した状態を示す斜視図である。
【図３】図３（Ａ）は、同駒が近接している場合の駒の断面図であり、図３（Ｂ）は、駒が離れている場合の駒の断面図である。
【図４】図４（Ａ）は、同駒をバンドの長さ方向に離した状態を示す斜視図であり、図４（Ｂ）は、同駒をバンドの厚さ方向にねじった状態を示す斜視図である。
【図５】変形例に係るバンドの駒を分解した状態を示す斜視図である。
【図６】変形例に係るバンドの駒を分解した状態を示す斜視図である。
【図７】変形例に係るバンドの駒を分解した状態を示す斜視図である。
【図８】変形例に係るバンドの駒を分解した状態を示す斜視図である。
【符号の説明】
１…腕時計、１０…時計本体、２０…バンド、２１、２１Ａ、２１Ｂ…駒、２２…凹部、２３…凸部、２４、２５…貫通孔、３０…連結ピン、４０…付勢機構
【図１】
2004290441.tif 000003
【図２】
2004290441.tif 000004
【図３】
2004290441.tif 000005
【図４】
2004290441.tif 000006
【図５】
2004290441.tif 000007
【図６】
2004290441.tif 000008
【図７】
2004290441.tif 000009
【図８】
2004290441.tif 000010